(57)【要約】【課題】簡易な構造で、耐久性に優れ、安価に製造可能な、主にゲーム機用のフットスイッチを提供する。【解決手段】基台フレーム（１）と、基台フレーム（１）に対して上下方向に変位可能に保持され、踏みつけ操作を行なうフットプレート（２）と、フットプレート（２）を、常態において上方向へ向けて付勢するスプリング（３）と、基台フレーム（１）の外部側面に、軸支位置（４１）を中心に回動自在に取り付けられたリンクバー（４Ａ）と、フットプレート（２）の踏みつけ操作による上下動を、リンクバー（４Ａ）上の上記軸支位置（４１）以外の一点（４２）に伝達する伝動機構（５Ａ）と、フットプレート（２）の上下動により上記軸支位置（４１）を中心に回動するリンクバー（４Ａ）の一端（４３）の動きによってオンオフ信号を発する非接点センサー（６Ａ）と、から構成されたことを特徴とする。【選択図】図１
2010010119.tif 000002
【特許請求の範囲】
【請求項１】
基台フレーム（１）と、
基台フレーム（１）に対して上下方向に変位可能に保持され、踏みつけ操作を行なうフットプレート（２）と、
フットプレート（２）を、常態において上方向へ向けて付勢するスプリング（３）と、
基台フレーム（１）の外部側面に、軸支位置（４１）を中心に回動自在に取り付けられたリンクバー（４Ａ）と、
踏みつけ操作によるフットプレート（２）の上下動を、リンクバー（４Ａ）上の上記軸支位置（４１）以外の一点（４２）に伝達する伝動機構（５Ａ）と、
フットプレート（２）の上下動により上記軸支位置（４１）を中心に回動するリンクバー（４Ａ）の一端（４３）の動きによってオンオフ信号を発する非接点センサー（６Ａ）と、
から構成されたことを特徴とするフットスイッチ。
【請求項２】
基台フレーム（１）の少なくとも二つの異なった外部側面にそれぞれ上記リンクバー（４Ａ，４Ｂ）及び非接点センサー（６Ａ，６Ｂ）が取り付けられ、フットプレート（２）の踏みつけ時にはその踏みつけ位置に関係なく少なくともいずれか一つの非接点センサー（６Ａ，６Ｂ）がオンオフ信号を発するよう構成されたことを特徴とする請求項１に記載のフットスイッチ。
【請求項３】
上記非接点センサー（６Ａ，６Ｂ）としてフォトセンサーを用いたことを特徴とする請求項１に記載のフットスイッチ。
【請求項４】
フットプレート（２）の下面に取付枠体（２３）を取り付け、取付枠体（２３）とスプリング（３）とを並列に配置することにより、フットスイッチの全高が低くなるよう構成したことを特徴とする請求項１に記載のフットスイッチ。
【発明の詳細な説明】
【技術分野】
【０００１】
本発明は、主にゲーム機で用いられるフットスイッチに関し、特に、簡易な構造で、耐久性に優れ、安価に製造可能なフットスイッチに関するものである。
【背景技術】
【０００２】
床面若しくは機台上に複数のフットスイッチを配置し、それらのフットスイッチを所定の順番やリズムで踏み付けることによりゲーム操作を行うゲーム機は公知であり、アスレチックを兼ねたゲーム機等として楽しまれている。
そのようなゲーム機用のフットスイッチとして従来公知のものは、例えば下記の特許文献１に記載のもののように、圧力スイッチを用い、これに荷重をかけることにより内部接点を導通させ、信号を出力させるものが大半を占めている。
然しながら、そのような接点方式のものは、接点の摩耗や経年変化による劣化を避けることができない。特にゲーム機のように極めて頻繁に踏みつけ操作が行なわれ、また、ゲームに熱中、興奮して乱暴な踏みつけ動作も行なわれやすい環境下では、充分な耐久性能を得ることが困難である。
また、導通部の接点に直接大きな荷重をかけることはできないため、補強手段が必要になる。
更にまた、導通部の接点間隔が非常に狭いため、砂粒などの異物が侵入すると作動しなくなるという問題もある。
【０００３】
【特許文献１】特開２００１−０００６１０号公報
【発明の開示】
【発明が解決しようとする課題】
【０００４】
本発明は、上記の問題点を解決するためなされたものであり、その目的とするところは、主にゲーム機用に用いられるフットスイッチであって、接点方式ではなく、簡易な構造で、耐久性に優れると共に、安価に製造可能なフットスイッチを提供することにある。
【課題を解決するための手段】
【０００５】
上記の目的は、
基台フレームと、
基台フレームに対して上下方向に変位可能に保持され、踏みつけ操作を行なうフットプレートと、
フットプレートを、常態において上方向へ向けて付勢するスプリングと、
基台フレームの外部側面に、軸支位置を中心に回動自在に取り付けられたリンクバーと、
踏みつけ操作によるフットプレートの上下動を、リンクバー上の上記軸支位置以外の一点に伝達する伝動機構と、
フットプレートの上下動により上記軸支位置を中心に回動するリンクバーの一端の動きによってオンオフ信号を発する非接点センサーと、
から構成されたことを特徴とするフットスイッチによって達成し得る。
【０００６】
望ましい実施形態においては、基台フレームの少なくとも二つの異なった外部側面にそれぞれ上記リンクバー及び非接点センサーが取り付けられ、フットプレートの踏みつけ時にはその踏みつけ位置に関係なく少なくともいずれか一つの非接点センサーがオンオフ信号を発するよう構成される。
なお、上記非接点センサーとしては、フォトセンサーが好適に用いられる。
また、フットプレートの下面に取付枠体を取り付け、取付枠体とスプリングとを並列に配置することにより、フットスイッチの全高が低くなるよう構成することも推奨される。
【発明の効果】
【０００７】
上記の如き構成であると、従来の接点方式のフットスイッチにおける前記の如き問題点が解消でき、耐久性の向上を図り得ると共に、構造も簡単で、安価に製造可能なフットスイッチを提供し得るものである。
また、リンクバーを基台フレームの外部に設けることにより、踏みつけ操作時にフットプレートに掛かる荷重を、基台フレームの内部で受け支える面積を多くとることが可能になるため、荷重を均等に分散させることができ、動作の安定性と長寿命化を達成することができる。
更にまた、フットプレートが上下動するので、その踏みつけ感をプレイヤーに感じさせることができ、踏み損ない等を気にすることなく、ゲームそのものに集中できるという効果も得られるものである。
【発明を実施するための最良の形態】
【０００８】
以下、図面に示す実施例を参照しつつ、本発明を実施するための最良の形態について説明する。
図１は、本発明に係るフットスイッチの第１実施例の全体斜視図、
図２は、本発明に係るフットスイッチの第１実施例の非操作時における側面図、
図３は、本発明に係るフットスイッチの第１実施例の踏みつけ操作時における側面図、
図４は、本発明に係るフットスイッチの第１実施例の分解斜視図、
図５は、図４中のＶ−Ｖ線に沿った断面図、
図６は、図４中のVI−VI線に沿った断面図、
図７は、本発明に係るフットスイッチの第２実施例の全体斜視図、
図８は、本発明に係るフットスイッチの第２実施例の非操作時における側面図、
図９は、本発明に係るフットスイッチの第２実施例の踏みつけ操作時における側面図、
図１０は、本発明に係るフットスイッチの第２実施例の分解斜視図、
図１１は、図１０中のXI−XI線に沿った断面図、
図１２は、図１０中のXII−XII線に沿った断面図、
図１３は、本発明に係るフットスイッチを用いたゲーム機の一例を示す全体斜視図である。
これらの図中、１はフットスイッチの基台フレーム、２はフットプレート、３，３はスプリング、４Ａ，４Ｂはリンクバー、５Ａ，５Ｂは伝動機構、６Ａ，６Ｂは非接点センサーである。
【０００９】
本発明に係るフットスイッチの第１実施例を示す図１〜図６に示すように、ゲームを行うプレイヤー等が踏みつけ操作するフットプレート２は、基台フレーム１に対して上下方向に変位可能なように保持され、複数のスプリング３，３（図４〜図６参照）によって上方向へ向けて押し上げられるようになっている。
そのため、非操作時の常態において、フットプレート２の上面は、図２に示す如く、基台フレーム１の上面から幾分突出した状態を保つようになっている。
より詳細には、図４に示すように、フットプレート２は、保持枠２１、補強プレート２２を介して取付枠体２３に取り付けられ、取付枠体２３がスプリング３、３によって基台フレーム１に支持されるようになっている。
スプリング３、３は、基台フレーム１側に固着した補強フレーム１１，１１と上記取付枠体２３との間に作用して、取付枠体２３を上方向へ持ち上げるように付勢するようになっている。
【００１０】
基台フレーム１の外部側面には、リンクバー４Ａがその軸支位置４１を中心に回動自在なように取り付けられている。
リンクバー４Ａの一端４２には、踏みつけ操作によるフットプレート２の上下方向の動きを伝達する伝動機構であるロッド５Ａを挿通する孔が明けられ、フットプレート２が上下に移動すると、リンクバー４Ａの一端４２が上下に移動し、これによりリンクバー４Ａがその軸支位置４１を中心に回動し、リンクバー４Ａの他端４３が上下に移動するようになっている。
フットプレート２の上下方向の動きを伝達する伝動機構であるロッド５Ａは、図４に示すように、フットプレート２の前記取付枠体２３の側面に固着されており、その先端が、基台フレーム１の側面に明けた孔１２を通じて基台フレーム１の側面から突出し、リンクバー４Ａの一端４２に明けた孔に嵌め入れられるようになっている。
【００１１】
図示した実施例では、リンクバー４Ａにロッド５Ａを嵌め入れる孔を、リンクバー４Ａの軸支位置４１を挟んで、リンクバーの他端４３とは反対側の一端４２の近くに設けたが、軸支位置４１をリンクバーの一端４２の近くに設定し、ロッド５Ａを嵌め入れる孔を、当該軸支位置４１の近くで、リンクバーの他端４３と同じ側に設けるようにしてもよい。
【００１２】
踏みつけ操作によるフットプレート２の上下動によって、上記の如く、リンクバー４Ａがその軸支位置４１を中心に回動し、リンクバー４Ａの端部４３が上下に移動するので、この動きによってオンオフ信号を発する非接点センサー６Ａを基台フレーム１の外側側面に取り付ける。
図示した例においては、図２に示すフットプレート２の非踏みつけ時には、リンクバー４Ａの端部４３がフォトセンサーから成る非接点センサー６Ａの発光部と受光部の間に入り込んで光線を遮断し、オフの状態となるようになっている。
プレイヤーがフットプレート２を踏みつけると、図３に示す如く、リンクバー４Ａの一端４２が下方へ移動し、これに伴ってリンクバー４Ａの他端４３が上方向へ移動して、フォトセンサー６Ａの発光部と受光部の間から抜け出し、受光部で光線を受光するようになるため、フォトセンサー６Ａがオンの信号を発生する。
【００１３】
上記実施例においては、非接点センサー６Ａとしてフォトセンサーを用いたが、磁気センサー等の他の非接点センサーを用いることも可能である。
非接点センサー６Ａとして磁気センサーを用いる場合には、リンクバー４Ａの端部４３にマグネット片を取り付けておき、これが磁気センサーから遠ざかった位置にあるときはオフとなり、近づいたときにオン信号を発生するようにするものである。
【００１４】
なお、プレイヤーによるフットプレート２の踏みつけ位置が多少ずれていても、確実にオンオフ信号が得られるようにするために、基台フレーム１の少なくとも二つの異なった外部側面にそれぞれ上記リンクバー４Ａ，４Ｂ（図４参照）及び非接点センサー６Ａ，６Ｂ（図１〜図３参照）を取り付け、フットプレート２の踏みつけ時には少なくともいずれか一つの非接点センサー６Ａ，６Ｂがオンオフ信号を発するように構成することが望ましい。
【００１５】
次に、本発明に係るフットスイッチの第２実施例について、図７〜図１２を参照しつつ説明する。
この第２実施例のものは、上記第１実施例のものよりも使用部材数を減らして、内部構成を単純化することにより、全体の厚さが、第１実施例のものでは８０ｍｍあったのに対してこれを５２ｍｍまで減らすと共に、踏みつけ時のストロークを３．５ｍｍから２ｍｍに低減せしめたものである。
具体的には、上記第１実施例における補強フレーム１１，１１（図４〜図６参照）は用いないようにすると共に、補強プレート２２についても、これを用いず、取付枠体２３の頂部に一体的に天板を設け、これで補強プレート２２を代替せしめ、更に、スプリング３，３の作用位置を変更することにより、上記厚さの低減化等を図ったものである。即ち、フットプレートの下面に取り付けた取付枠体とスプリングとを並列に配置することにより、フットスイッチの全高が低くなるよう構成したものである。
以下、第２実施例について説明する。
【００１６】
図７〜図１２に示す第２実施例においても、プレイヤーが踏みつけ操作するフットプレート２は、基台フレーム１に対して上下方向に変位可能なように保持され、複数のスプリング３，３（図１０〜図１２参照）によって上方向へ向けて押し上げられるようになっている。
そのため、非操作時の常態において、フットプレート２の上面は、図８に示す如く、基台フレーム１の上面から幾分突出した状態を保つようになっている。
より詳細には、図１０に示すように、フットプレート２は、保持枠２１と共に取付枠体２３の天板２３ａに取り付けられ、取付枠体２３がスプリング３、３によって基台フレーム１に支持されるようになっている。
【００１７】
図１１及び図１２に示すように、基台フレーム１のリンクバー４Ａ，４Ｂが取り付けられた側面の下端縁は、内側へ折り曲げられて内向きフランジ部１ａを形成し、この内向きフランジ部１ａと、取付枠体２３の天板２３ａとの間に、スプリング３，３が作用するようになっている。このように、取付枠体２３とスプリング３，３とを並列に配置することにより、フットスイッチの全高が低くなるよう構成することができる。
取付枠体２３の天板２３ａの下面には、補強兼用リミッターフレーム２３ｂ，２３ｂが取り付けられ、天板２３ａの強度を高めると共に、踏みつけ操作時に、当該フレーム２３ｂ，２３ｂが床に接触して、取付枠体２３がそれ以上押し下げられるのを防止するようになっている。
【００１８】
第２実施例においても、基台フレーム１の外部側面には、リンクバー４Ａがその軸支位置４１を中心に回動自在なように取り付けられている。
リンクバー４Ａの一端４２には、踏みつけ操作によるフットプレート２の上下方向の動きを伝達する伝動機構であるロッド５Ａを挿通する孔が明けられ、フットプレート２が上下に移動すると、リンクバー４Ａの一端４２が上下に移動し、これによりリンクバー４Ａがその軸支位置４１を中心に回動し、リンクバー４Ａの他端４３が上下に移動するようになっている。
フットプレート２の上下方向の動きを伝達する伝動機構であるロッド５Ａは、フットプレート２の前記取付枠体２３の側面に固着されており、その先端が、基台フレーム１の側面に明けた孔１２を通じて基台フレーム１の側面から突出し、リンクバー４Ａの一端４２に明けた孔に嵌め入れられるようになっている。
【００１９】
第２実施例においても、第１実施例の場合と同様に、リンクバー４Ａにロッド５Ａを嵌め入れる孔を、リンクバー４Ａの軸支位置４１を挟んで、リンクバーの他端４３とは反対側の一端４２の近くに設けたが、軸支位置４１をリンクバーの一端４２の近くに設定し、ロッド５Ａを嵌め入れる孔を、当該軸支位置４１の近くで、リンクバーの他端４３と同じ側に設けるようにしてもよい。
【００２０】
踏みつけ操作によるフットプレート２の上下動によって、上記の如く、リンクバー４Ａがその軸支位置４１を中心に回動し、リンクバー４Ａの端部４３が上下に移動するので、この動きによってオンオフ信号を発する非接点センサー６Ａを基台フレーム１の外側側面に取り付ける。
第２実施例においても、図８に示すフットプレート２の非踏みつけ時には、リンクバー４Ａの端部４３がフォトセンサーから成る非接点センサー６Ａの発光部と受光部の間に入り込んで光線を遮断し、オフの状態となるようになっている。
プレイヤーがフットプレート２を踏みつけると、図９に示す如く、リンクバー４Ａの一端４２が下方へ移動し、これに伴ってリンクバー４Ａの他端４３が上方向へ移動して、フォトセンサー６Ａの発光部と受光部の間から抜け出し、受光部で光線を受光するようになるため、フォトセンサー６Ａがオンの信号を発生する。
【００２１】
なお、プレイヤーによるフットプレート２の踏みつけ位置が多少ずれていても、確実にオンオフ信号が得られるようにするために、基台フレーム１の少なくとも二つの異なった外部側面にそれぞれ上記リンクバー４Ａ，４Ｂ（図１０参照）及び非接点センサー６Ａ，６Ｂ（図７〜図９参照）を取り付け、フットプレート２の踏みつけ時には少なくともいずれか一つの非接点センサー６Ａ，６Ｂがオンオフ信号を発するように構成することが望ましい。この点は、前記第１実施例の場合と同様である。
【００２２】
図１３には、上記の如き構成を有する本発明に係るフットスイッチ１０１、１０２、１０３が３台取り付けられたゲーム機の一例が示されている。
プレイヤーは、ゲーム機のスクリーン２００に表示されるゲーム画像を見て、必要なフットスイッチを踏みつけながらゲームを進行させるようになっている。
【００２３】
なお、本発明は上記実施例に限定されるものではなく、本願特許請求の範囲内において本願明細書及び図面の記載から当業者が容易に想到し得るすべての変更実施例を包摂するものである。
【産業上の利用可能性】
【００２４】
本発明は上記の如く構成されるので、本発明によるときは、主にゲーム機用に用いられるフットスイッチであって、接点方式ではなく、簡易な構造で、耐久性に優れると共に、安価に製造可能なフットスイッチを提供し得るものであるから、本発明は産業上多大の利用可能性を有するものである。
【図面の簡単な説明】
【００２５】
【図１】本発明に係るフットスイッチの第１実施例の全体斜視図である。
【図２】本発明に係るフットスイッチの第１実施例の非操作時における側面図である。
【図３】本発明に係るフットスイッチの第１実施例の踏みつけ操作時における側面図である。
【図４】本発明に係るフットスイッチの第１実施例の分解斜視図である。
【図５】図４中のＶ−Ｖ線に沿った断面図である。
【図６】図４中のVI−VI線に沿った断面図である。
【図７】本発明に係るフットスイッチの第２実施例の全体斜視図である。
【図８】本発明に係るフットスイッチの第２実施例の非操作時における側面図である。
【図９】本発明に係るフットスイッチの第２実施例の踏みつけ操作時における側面図である。
【図１０】本発明に係るフットスイッチの第２実施例の分解斜視図である。
【図１１】図１０中のXI−XI線に沿った断面図である。
【図１２】図１０中のXII−XII線に沿った断面図である。
【図１３】本発明に係るフットスイッチを用いたゲーム機の一例を示す全体斜視図である。
【符号の説明】
【００２６】
１      基台フレーム
１１    補強フレーム
１ａ    内向きフランジ部
２      フットプレート
２１    保持枠
２２    補強プレート
２３    取付枠体
２３ａ  天板
２３ｂ  補強兼用リミッターフレーム
３      スプリング
４Ａ，４Ｂ  リンクバー
４１    軸支位置
５Ａ，５Ｂ  伝動機構
６Ａ，６Ｂ  非接点センサー
【図１】
2010010119.tif 000003
【図２】
2010010119.tif 000004
【図３】
2010010119.tif 000005
【図４】
2010010119.tif 000006
【図５】
2010010119.tif 000007
【図６】
2010010119.tif 000008
【図７】
2010010119.tif 000009
【図８】
2010010119.tif 000010
【図９】
2010010119.tif 000011
【図１０】
2010010119.tif 000012
【図１１】
2010010119.tif 000013
【図１２】
2010010119.tif 000014
【図１３】
2010010119.tif 000015